(57)【要約】【課題】  水中撮影時に逆光状態であっても適切な画像を得ることが可能な撮像装置を提供する。【解決手段】  撮像装置が水中撮影か否かを判定する水中撮影判定手段と逆光撮影か否かを判定する逆光撮影判定手段と測光手段と逆光補正手段とを有し、  逆光撮影判定手段は、水中撮影判定手段により水中撮影と判定された場合には、測光手段により測光された測光値が第一の閾値よりも大きい場合に逆光撮影と判定し、  水中撮影判定手段により水中撮影ではないと判定された場合には、測光手段により測光された測光値が第一の閾値よりも大きい第二の閾値よりも大きい場合に逆光撮影と判定し、  逆光補正手段は、逆光撮影判定手段により逆光撮影と判定された場合に、逆光補正処理を行う。【選択図】  図２
2010268256.tif 000002
【特許請求の範囲】
【請求項１】
撮像装置であって、
前記撮像装置が水中撮影か否かを判定する水中撮影判定手段と逆光撮影か否かを判定する逆光撮影判定手段と測光手段と逆光補正手段とを有し、
前記逆光撮影判定手段は、前記水中撮影判定手段により水中撮影と判定された場合には、前記測光手段により測光された測光値が第一の閾値よりも大きい場合に逆光撮影と判定し、
前記水中撮影判定手段により水中撮影ではないと判定された場合には、前記測光手段により測光された測光値が前記第一の閾値より大きい第二の閾値よりも大きい場合に逆光撮影と判定し、
前記逆光補正手段は、前記逆光撮影判定手段により逆光撮影と判定された場合に、逆光補正処理を行うことを特徴とする撮像装置。
【請求項２】
撮像装置であって、
前記撮像装置が水中撮影か否かを判定する水中撮影判定手段と前記撮像装置の撮影方向が上方向撮影か否かを判定する姿勢判定手段と逆光撮影か否かを判定する逆光撮影判定手段と測光手段と逆光補正手段とを有し、
前記逆光撮影判定手段は、前記水中撮影判定手段により水中撮影と判定され、かつ前記姿勢判定手段により上方向撮影と判定された場合には、前記測光手段により測光された測光値が第一の閾値よりも大きい場合に逆光撮影と判定し、
前記水中撮影判定手段により水中撮影と判定され、かつ前記姿勢判定手段により上方向撮影でないと判定された場合、または前記水中撮影判定手段により水中撮影でないと判定された場合には、
前記測光手段により測光された測光値が前記第一の閾値より大きい第二の閾値よりも大きい場合に逆光撮影と判定し、
前記逆光補正手段は、前記逆光撮影判定手段により逆光撮影であると判定された場合に、逆光補正処理を行うことを特徴とする撮像装置。
【請求項３】
逆光補正手段は、露出制御装置であることを特徴とする請求項１または２に記載の撮像装置。
【請求項４】
逆光補正手段は、画像処理装置であることを特徴とする請求項１または２に記載の撮像装置。
【発明の詳細な説明】
【技術分野】
【０００１】
本発明は、撮像装置に関し、特に水中撮影時の逆光補正処理に関する。
【背景技術】
【０００２】
デジタルカメラやビデオカメラなどの撮像装置は、絞り、シャッタースピードなどを組合せ、映像を最適な明るさに調整する露出制御機能を有している。
【０００３】
この露出制御を最適に行う為には、種々の測光方式により映像の明るさを測定する必要があるが、測光領域に非常に明るい領域が存在すると、被写体が暗くなる場合がある。
【０００４】
この場合、強制的に露出をオーバーにして被写体領域の明度を上げる逆光補正と呼ばれる処理を行うことで被写体を明るくすることができる。
【０００５】
かかる逆光補正について、特許文献1では画像が逆光画像であるか否かを判定する第１判定部と、逆光画像であると判定されたときに、中間調の色バランスが崩れた画像であるか否かを判定する第２判定部と、中間調の色バランスが崩れた画像ではないと判定されたときに、夕焼けまたは朝焼けの画像であるか否かを判定する第３判定部と、これら第１〜第３判定部の判定結果に基づき、判定結果に応じた補正処理を画像に対して施す補正処理部とを備える逆光画像補正装置が提案されている。
【０００６】
この技術により、逆光画像であると判定された画像に対して、中間調の色バランスが崩れた画像や夕焼けまたは朝焼けの画像であっても撮影環境に最適な逆光画像補正処理を行うことが可能となった。
【先行技術文献】
【特許文献】
【０００７】
【特許文献１】特開２００７−３２５１３７号公報
【発明の概要】
【発明が解決しようとする課題】
【０００８】
しかしながら、上記に開示されている構成では、逆光画像であるか否かを判定する際に、逆光状態であるか否かを判定する画像の明るさの閾値を撮影環境によって変えていなかった為、陸上での撮影よりも明るさが暗くなる水中撮影時において、逆光状態であるか否かを精度良く判断することができず、例えば水中から水面付近を遊泳する魚群等の被写体を撮影する場合に、逆光補正処理が行われないことがあり暗い映像になっていた。
【課題を解決するための手段】
【０００９】
本発明の撮影装置は、撮像装置が水中撮影か否かを判定する水中撮影判定手段と逆光撮影か否かを判定する逆光撮影判定手段と測光手段と逆光補正手段とを有し、
逆光撮影判定手段は、水中撮影判定手段により水中撮影と判定された場合には、測光手段により測光された測光値が第一の閾値よりも大きい場合に逆光撮影と判定し、
水中撮影判定手段により水中撮影ではないと判定された場合には、測光手段により測光された測光値が第一の閾値より大きい第二の閾値よりも大きい場合に逆光撮影と判定し、
逆光補正手段は、逆光撮影判定手段により逆光撮影と判定された場合に、逆光補正処理を行うことを特徴とする。
【００１０】
本発明はまた、撮像装置が水中撮影か否かを判定する水中撮影判定手段と撮像装置の撮影方向が上方向撮影か否かを判定する姿勢判定手段と逆光撮影か否かを判定する逆光撮影判定手段と測光手段と逆光補正手段とを有し、
逆光撮影判定手段は、水中撮影判定手段により水中撮影と判定され、かつ前記姿勢判定手段により上方向撮影と判定された場合には、前記測光手段により測光された測光値が第一の閾値よりも大きい場合に逆光撮影と判定し、
水中撮影判定手段により水中撮影と判定され、かつ姿勢判定手段により上方向撮影でないと判定された場合、または水中撮影判定手段により水中撮影でないと判定された場合には、
測光手段により測光された測光値が前記第一の閾値より大きい第二の閾値よりも大きい場合に逆光撮影と判定し、
逆光補正手段は、逆光撮影判定手段により逆光撮影であると判定された場合に、逆光補正処理を行うことを特徴とする。
【発明の効果】
【００１１】
本発明によれば、撮影環境が水中撮影か否かを判定して、逆光状態を判定する為の閾値を撮影環境に適するように変更することができるので、撮影環境が水中撮影時であって逆光状態の判定を精度良く行うことができ、適切な画像を撮影することが可能となる。
【００１２】
本発明はまた、撮影環境が水中撮影か否かを判定するとともに、水中撮影時に逆光撮影となりやすい水中から水面を撮影する場合、すなわち上方向撮影を判定することができるので、水中撮影時の逆光状態の判定をより精度良く行うことが可能となる。
【図面の簡単な説明】
【００１３】
【図１】実施例１の撮像装置の構成を示すブロック図。
【図２】実施例１の撮像装置の処理動作を示すフローチャート。
【図３】実施例２の撮像装置の構成を示すブロック図。
【図４】実施例２の撮像装置の処理動作を示すフローチャート。
【発明を実施するための形態】
【００１４】
（実施例１）
図１は本実施例の撮像装置の構成を示すブロック図である。
【００１５】
図１において、１はデジタルカメラである。
【００１６】
デジタルカメラ１は防水機能を有し水中撮影を行うことが可能である。
【００１７】
１１０は被写体結像用のレンズである。
【００１８】
１２０は入射光量を制御する絞り機構である。
【００１９】
１２１は絞り機構１２０を駆動する絞り機構駆動モータである。
【００２０】
１２２は絞り機構駆動モータ１２１を駆動する絞り機構駆動装置である。
【００２１】
１３０は入射した光を光電変換するＣＣＤである。
【００２２】
１３１はＣＣＤ駆動装置であり、ＣＣＤ１３０を制御し光電変換された信号を読み出すとともに、信号の蓄積時間を制御するいわゆる電子シャッタ機能を制御する。
【００２３】
１４０はカメラ信号処理回路であり、ＣＣＤ１３０から導出される被写体の情報を示す信号をカメラ信号に変換処理する。
【００２４】
１５０はカメラ信号処理回路１４０で処理された画像データを記録する記録媒体である。
【００２５】
１６０はカメラ信号処理回路１４０で処理された画像を表示するモニタである。
【００２６】
１７０はマイクロコンピュータであり、カメラ信号処理回路１４０、ＣＣＤ駆動装置１３１および絞り機構駆動装置１２２に処理命令を出す。
【００２７】
１８０は水中撮影判定装置であり、デジタルカメラ1の撮影環境が水中撮影か否かを判定し、後述する逆光補正判定部１７４へ判定結果を送信する。
【００２８】
水中撮影判定装置１８０は例えば水圧センサーであって、デジタルカメラ1が水中に入り水圧を検知すると水中撮影と判定し逆光補正判定部１７４へ信号を送信する。
【００２９】
マイクロコンピュータ１７０において、１７１は測光部でありカメラ信号処理回路１４０で処理された被写体の輝度信号を用いて測光値を算出する。
【００３０】
１７２は露出制御部であり、測光部１７１で算出された測光値をもとに、その測光値が目標値になるまで絞り機構駆動装置１２２やＣＣＤ駆動装置１３１に動作命令を出す。
【００３１】
また、露出制御部１７２は後述する逆光補正判定部１７４からの判定結果をもとに逆光補正処理を行うように絞り機構駆動装置１２２やＣＣＤ駆動装置１３１に動作命令を出す。
【００３２】
１７３は第一の閾値および第一の閾値よりも大きい第二の閾値を記憶する記憶部である。
【００３３】
逆光補正判定部１７４は、水中撮影判定装置１８０から受信した判定結果と記憶部１７３に記憶された第一の閾値または第二の閾値と測光部１７１で算出された測光値の比較結果をもとに、逆光補正処理を行うか否かを判定し露出制御部１７２へ判定結果を送信する。
【００３４】
本実施形態の逆光補正判定部１７４の動作を詳しく説明する。
【００３５】
逆光補正判定部１７４は水中撮影判定装置１８０から水中撮影との判定結果を受信した場合には、記憶部１７３から第一の閾値を読み出す。
【００３６】
そして逆光補正判定部１７４は、測光部１７１で算出された測光値と第一の閾値とを比較し、測光値＞第一の閾値であった場合に逆光撮影と判定し、判定結果を露出制御部１７２へ送信する。
【００３７】
また、逆光補正判定部１７４は水中撮影検出装置１８０から水中撮影でないとの判定結果を受信した場合には、記憶部１７３から第二の閾値を読み出す。
【００３８】
そして逆光補正判定部１７４は、測光部１７１で算出された測光値と第二の閾値とを比較し、測光値＞第二の閾値であった場合に逆光撮影と判定し、判定結果を露出制御部１７２へ送信する。
【００３９】
露出制御部１７２は逆光補正判定部１７４から逆光撮影の判定結果を受信すると、逆光補正処理を行うように絞り機構駆動装置１２２やＣＣＤ駆動装置１３１に動作命令を出す。
【００４０】
次に、図２のフローチャートを参照して本実施形の撮像装置の処理を説明する。
【００４１】
ステップＳ１００で、測光部１７１で測光処理を行い画像の測光値を測定する。
【００４２】
ステップＳ２００では、水中撮影判定装置１８０が水中撮影であるか否かを判定する。
【００４３】
ステップＳ２００において水中撮影と判定された場合、ステップＳ３００に進み、水中撮影でないと判定された場合には、ステップＳ３１０に進む。
【００４４】
ステップＳ３００では、逆光補正判定部１７４が記憶部１７３から第一の閾値を読み出し、測光部１７１で測定された測光値と比較する。
【００４５】
ステップＳ３００で、測光値＞第一の閾値の場合は、ステップＳ４００へ進む。
【００４６】
ステップＳ３１０では、逆光補正判定部１７４が記憶部１７３から第二の閾値を読み出し、測光部１７１で測定された測光値と比較する。
【００４７】
ステップＳ３１０で、測光値＞第二の閾値の場合は、ステップＳ４００へ進む。
【００４８】
ステップＳ４００では露出制御部１７２が逆光補正処理を行う。
【００４９】
（実施例２）
以下にこの発明の第二の実施の形態を説明する。
【００５０】
図３は本実施例の撮像装置の構成を示すブロック図である。
【００５１】
図３において、１４１は画像処理装置であり、逆光補正判定部１７４からの判定結果をもとにカメラ信号処理回路１４０で処理された画像に逆光補正処理を行う。
【００５２】
１５０は画像処理装置１４1で処理された画像データを記録する記録媒体である。
【００５３】
１６０は画像処理装置１４1で処理された画像を表示するモニタである。
【００５４】
１７２は露出制御部であり、測光部１７１で算出された測光値をもとに、その測光値が目標値になるまで絞り機構駆動装置１２２やＣＣＤ駆動装置１３１に動作命令を出す。
【００５５】
１９０は姿勢判定装置であり、デジタルカメラ１の撮影方向が上方向撮影か否かを判定し逆光補正判定部１７４へ判定結果を送信する。
【００５６】
姿勢判定装置１９０は、鉛直上方向に対し所定の角度以下の場合、上方向撮影であると判定する。
【００５７】
逆光補正判定部１７４は、水中撮影判定装置１８０および姿勢判定装置１９０から受信した判定結果と記憶部１７３に記憶された第一の閾値または第二の閾値と測光部１７１で算出された測光値の比較結果をもとに、逆光補正処理を行うか否かを判定し画像処理装置１４１へ判定結果を送信する。
【００５８】
１〜１４０、１７０、１７１、１７３、１８０は図１の説明と同じである。
【００５９】
本実施形態の逆光補正判定部１７４の動作について詳しく説明する。
【００６０】
逆光補正判定部１７４は水中撮影判定装置１８０から水中撮影の判定結果を受信した場合には、姿勢判定装置１９０の判定結果を受信する。
【００６１】
姿勢判定装置１９０の判定結果が上方向撮影であった場合、逆光補正判定部１７４は、記憶部１７３から第一の閾値を読み出す。
【００６２】
そして逆光補正判定部１７４は、測光部１７１で算出された測光値と第一の閾値とを比較し、測光値＞第一の閾値であった場合に逆光撮影と判定し、判定結果を画像処理装置１４１へ送信する。
【００６３】
また、逆光補正判定部１７４は水中撮影判定装置１８０の判定結果が水中撮影であり、姿勢判定装置１９０の判定結果が上方向撮影ではなかった場合には、記憶部１７３から第二の閾値を読み出す。
【００６４】
そして逆光補正判定部１７４は、測光部１７１で算出された測光値と第二の閾値とを比較し、測光値＞第二の閾値であった場合に逆光撮影と判定し、判定結果を画像処理装置１４１へ送信する。
【００６５】
さらに、逆光補正判定部１７４は水中撮影検知装置１８０の判定結果が水中撮影でなかった場合には、記憶部１７３から第二の閾値を読み出す。
【００６６】
そして逆光補正判定部１７４は、測光部１７１で算出された測光値と第二の閾値とを比較し、測光値＞第二の閾値であった場合に逆光補正必要と判定し、判定結果を露出制御部１７２へ送信する。
【００６７】
画像処理装置１４１は逆光補正判定部１７４から逆光撮影の判定結果を受信すると、カメラ信号処理回路１４０で処理された画像に逆光補正処理を行う。
【００６８】
次に、図４のフローチャートを参照して本実施形の撮像装置の処理を説明する。
【００６９】
ステップＳ１００で、測光部１７１で測光処理を行い画像の測光値を測定する。
【００７０】
ステップＳ２００では、水中撮影判定装置１８０が水中撮影であるか否かを判定する。
【００７１】
ステップＳ２００において水中撮影と判定された場合、ステップＳ３００に進み、水中撮影でないと判定された場合には、ステップＳ４１０に進む。
【００７２】
ステップＳ３００では、姿勢判定装置１９０が上方向撮影か否かを判定する。
【００７３】
ステップＳ３００において上方向撮影と判定された場合、ステップＳ４００に進み、上方向撮影でないと判定された場合には、ステップＳ４１０に進む。
【００７４】
ステップＳ４００では、逆光補正判定部１７４が記憶部１７３から第一の閾値を読み出し、測光部１７１で測定された測光値と比較する。
【００７５】
ステップＳ４００で、測光値＞第一の閾値のは、ステップＳ５００へ進む。
【００７６】
ステップＳ４１０では、逆光補正判定部１７４が記憶部１７３から第二の閾値を読み出し、測光部１７１で測定された測光値と比較する。
【００７７】
ステップＳ４１０で、測光値＞第二の閾値の場合は、ステップＳ５００へ進む。
【００７８】
ステップＳ５００では画像処理装置１４１が逆光補正処理を行う。
【符号の説明】
【００７９】
１  デジタルカメラ
１１０  レンズ
１２０  絞り機構
１２１  絞り機構駆動モータ
１２２  絞り機構駆動装置
１３０  ＣＣＤ
１３１  ＣＣＤ駆動装置
１４０  カメラ信号処理回路
１４１  画像処理装置
１５０  記録媒体
１６０  モニタ
１７０  マイクロコンピュータ
１７１  測光部
１７２  露出制御部
１７３  記憶部
１７４  逆光補正判定部
１８０  水中撮影判定装置
１９０  姿勢判定装置
【図１】
2010268256.tif 000003
【図２】
2010268256.tif 000004
【図３】
2010268256.tif 000005
【図４】
2010268256.tif 000006